(57)【要約】【課題】  トレーニング装置１０を利用しているユーザの体調を管理することができるトレーニング情報管理装置を提供する。【解決手段】  生体情報端末２０から送信されるユーザの体調に関する情報である生体情報を受信する受信手段と、ユーザの運動時における体調に関する基準値となるワーニング基準値データを記憶する個別ワーニングデータ記憶手段と、受信手段が受信した生体情報と個別ワーニングデータ記憶手段に記憶されたワーニング基準値データとを比較する比較手段と、比較手段の比較結果に基づき、生体情報がワーニング基準値データ以上である場合に、生体情報端末２０に警報させるための指示を送信する警報手段と、を有する。【選択図】    図１
2006053722.tif 000002
【特許請求の範囲】
【請求項１】
生体情報端末とフィットネス情報管理装置とが接続され、前記生体情報端末のユーザの体調を管理するフィットネス情報管理システムにおけるフィットネス情報管理装置であって、
前記生体情報端末から送信される前記ユーザの体調に関する情報である生体情報を受信する受信手段と、
前記ユーザの運動時における体調に関する基準値となるワーニング基準値データを記憶する個別ワーニングデータ記憶手段と、
前記受信手段が受信した生体情報と前記個別ワーニングデータ記憶手段に記憶されたワーニング基準値データとを比較する比較手段と、
前記比較手段の比較結果に基づき、前記生体情報が前記ワーニング基準値データ以上である場合に、前記生体情報端末に警報させるための指示を送信する警報手段と、
を有すること特徴とするフィットネス情報管理装置。
【請求項２】
前記ユーザの身体に関する情報である身体情報と前記ワーニング基準値データとを対応付けて記憶するワーニングテーブル記憶手段と、
前記ユーザの身体情報を受信し、受信した身体情報に対応するワーニング基準値データを前記ワーニングテーブル記憶手段から読み出し、前記ユーザのワーニング基準値データとして前記個別ワーニングデータ記憶手段に設定するワーニングデータ設定手段と、
を有することを特徴とする請求項１記載のフィットネス情報管理装置。
【請求項３】
前記トレーニング装置の利用に関するトレーニングメニューを前記ユーザのユーザ識別情報に対応付けて記憶するトレーニングメニュー記憶手段と、
前記トレーニング装置からの要求に基づいて、前記要求に含まれるユーザ識別情報に対応するトレーニングメニューを前記トレーニングメニュー記憶手段から読み出して前記トレーニング装置に送信するトレーニングメニュー管理手段と、
を有することを特徴とする請求項１記載のフィットネス情報管理装置。
【請求項４】
前記トレーニング装置の利用に関するトレーニングメニューを前記ユーザのユーザ識別情報に対応付けて記憶するトレーニングメニュー記憶手段と、
前記生体情報端末から送信されるユーザ識別情報を前記受信手段によって受信し、受信したユーザ識別情報に対応するトレーニングメニューを前記トレーニングメニュー記憶手段から読み出して前記生体情報端末に送信するトレーニングメニュー管理手段と、
を有することを特徴とする請求項１記載のフィットネス情報管理装置。
【請求項５】
生体情報端末とフィットネス情報管理装置とが接続され、前記生体情報端末のユーザの体調を管理するフィットネス情報管理システムにおける生体情報端末であって、
前記ユーザの体調に関する情報を検出する検出手段と、
前記検出手段が検出した検出結果と前記ユーザを識別するためのユーザ識別情報とを前記フィットネス情報管理装置に送信する送信手段と、
前記フィットネス情報管理装置からの指示に基づいて、警報を行う警報手段と、
を有することを特徴とする生体情報端末。
【請求項６】
トレーニング装置とフィットネス情報管理装置とが接続されたフィットネス情報管理システムにおけるトレーニング装置であって、
ユーザを識別する情報であるユーザ識別情報とともにトレーニングメニューの送信要求を前記フィットネス情報管理装置に送信するトレーニングメニュー送信要求手段と、
前記フィットネス情報管理装置から送信されるトレーニングメニューを受信する受信手段と、
前記受信手段が受信したトレーニングメニューに含まれる負荷の設定値に基づいて、トレーニング装置の負荷を設定する設定手段と、
を有することを特徴とするトレーニング装置。
【請求項７】
生体情報端末とフィットネス情報管理装置とが接続され、前記生体情報端末のユーザの体調を管理するフィットネス情報管理システムにおけるフィットネス情報管理装置に用いられるフィットネス情報管理方法であって、
前記生体情報端末から送信される前記ユーザの体調に関する情報である生体情報を受信し、
受信した生体情報と前記ユーザの運動時における体調に関する基準値となるワーニング基準値データを記憶する個別ワーニングデータ記憶手段に記憶されたワーニング基準値データとを比較し、
比較結果に基づき、前記生体情報が前記ワーニング基準値データ以上である場合に、前記生体情報端末に警報させるための指示を送信する
こと特徴とするフィットネス情報管理方法。
【請求項８】
生体情報端末とフィットネス情報管理装置とが接続され、前記生体情報端末のユーザの体調を管理するフィットネス情報管理システムにおける生体情報端末に用いられる生体情報管理方法であって、
前記ユーザの体調に関する情報を検出し、
検出した検出結果と前記ユーザを識別するためのユーザ識別情報とを前記フィットネス情報管理装置に送信し、
前記フィットネス情報管理装置からの指示に基づいて、警報を行う
ことを特徴とする生体情報管理方法。
【請求項９】
トレーニング装置とフィットネス情報管理装置とが接続されたフィットネス情報管理システムにおけるトレーニング装置に用いられるトレーニング装置情報負荷設定方法であって、
ユーザを識別する情報であるユーザ識別情報とともにトレーニングメニューの送信要求を前記フィットネス情報管理装置に送信し、
前記フィットネス情報管理装置から送信されるトレーニングメニューを受信し、
受信したトレーニングメニューに含まれる負荷の設定値に基づいて、トレーニング装置の負荷を設定する
ことを特徴とするトレーニング装置負荷設定方法。
【請求項１０】
生体情報端末とフィットネス情報管理装置とが接続され、前記生体情報端末のユーザの体調を管理するフィットネス情報管理システムにおけるフィットネス情報管理装置に用いられるフィットネス情報管理プログラムであって、
前記生体情報端末から送信される前記ユーザの体調に関する情報である生体情報を受信するステップと、
受信した生体情報と前記ユーザの運動時における体調に関する基準値となるワーニング基準値データを記憶する個別ワーニングデータ記憶手段に記憶されたワーニング基準値データとを比較するステップと、
比較結果に基づき、前記生体情報が前記ワーニング基準値データ以上である場合に、前記生体情報端末に警報させるための指示を送信するステップと
をコンピュータに実行させるためのフィットネス情報管理プログラム。
【請求項１１】
生体情報端末とフィットネス情報管理装置とが接続され、前記生体情報端末のユーザの体調を管理するフィットネス情報管理システムにおける生体情報端末に用いられる生体情報管理プログラムであって、
前記ユーザの体調に関する情報を検出するステップと、
検出した検出結果と前記ユーザを識別するためのユーザ識別情報とを前記フィットネス情報管理装置に送信するステップと、
前記フィットネス情報管理装置からの指示に基づいて、警報を行うステップと、
をコンピュータに実行させるための生体情報管理プログラム。
【請求項１２】
トレーニング装置とフィットネス情報管理装置とが接続されたフィットネス情報管理システムにおけるトレーニング装置に用いられるトレーニング装置情報負荷設定プログラムであって、
ユーザを識別する情報であるユーザ識別情報とともにトレーニングメニューの送信要求を前記フィットネス情報管理装置に送信するステップと、
前記フィットネス情報管理装置から送信されるトレーニングメニューを受信するステップと、
受信したトレーニングメニューに含まれる負荷の設定値に基づいて、トレーニング装置の負荷を設定するステップと、
をコンピュータに実行させるためのトレーニング装置負荷設定プログラム。
【発明の詳細な説明】
【技術分野】
【０００１】
この発明は、フィットネス機器を利用した運動時におけるユーザの体調を管理するフィットネス情報管理装置、生体情報端末、トレーニング装置に関するものである。
【背景技術】
【０００２】
従来から、フィットネスクラブなどにおいて、ユーザは、トレーニングマシンを利用して運動することにより、健康維持やトレーニングを行ったりしている。ここで、ユーザは、フィットネスクラブに出向いた際、トレーナと相談しながら自分のトレーニングメニューを作成し、作成されたトレーニングメニューに従って各種運動（トレーニング）を行っている。このトレーニングを行う場合、ユーザは、自分のトレーニングメニューの項目に対応するトレーニングマシンのうち、他のユーザが利用していないトレーニングマシンを探し出し、トレーニングメニューに規定された運動時間や運動回数などの運動量に従ってトレーニングしている。
【０００３】
このようなフィットネスクラブにおいて、ユーザの個人情報を記憶した非接触型のＩＣタグを用いるシステムが提案されている。
【０００４】
例えば、個人情報を記憶したＩＣタグの情報を、フィットネスマシンに取り付けられたＩＣタグリーダが読み出し、個人情報にフィットネスマシンとその設定条件のデータを対応付けて蓄積するシステムが提案されている（特許文献１）。
【０００５】
また、個人情報を記憶した非接触型のＩＣタグの情報をフィットネスマシンに取り付けられたＩＣタグリーダが読み出し、読み出したＩＣタグの情報とトレーニングマシンの情報とに基づいて、トレーニングマシンの使用状況をリアルタイムに把握可能するためのシステムも提案されている（特許文献２）。
【特許文献１】特開２００３−５４５３８９号公報
【特許文献２】特開２００３−０８５２６６号公報
【発明の開示】
【発明が解決しようとする課題】
【０００６】
ここで、トレーニングマシンを利用する場合、本人がトレーニング中の身体の状態を本人が自覚できずに心臓発作などの突然死などが起きてしまうことを防止したり、ユーザの体力や運動能力に応じたトレーニングを行うことが望ましい。例えば、不整脈、鼓動が早くなった、体温の変化などを本人が自覚する前に察知することが必要である。
【０００７】
しかしながら、上述した従来技術においては、目標管理にともなったトレーニングメニューを個人管理することは困難であった。
【０００８】
また、上述した特許文献１においては、トレーニングマシンとその設定条件のデータをユーザ毎に記憶することができる。一方、上述した特許文献２においては、フィットネスマシンの使用状況を把握することができる。しかし、これら特許文献１および２においては、目標管理にともなったトレーニングメニューを個人管理することは困難である。また、目標管理に合致したトレーニング機器の負荷設定を、ユーザが適切に行うことも困難である。
【０００９】
本発明は、このような事情に鑑みてなされたもので、その目的は、トレーニング装置を利用しているユーザの体調を管理することができるフィットネス情報管理装置、生体情報端末、トレーニング装置を提供することにある。
【００１０】
また、本発明は、トレーニング機器の負荷設定を適切に行うことができるフィットネス情報管理装置、生体情報端末、トレーニング装置を提供することにある。
【課題を解決するための手段】
【００１１】
上記目的を達成するために、本発明は、生体情報端末（例えば、実施形態における生体情報端末２０）とフィットネス情報管理装置（例えば、実施形態におけるセンタサーバ６０）とが接続され、前記生体情報端末のユーザの体調を管理するフィットネス情報管理システム（例えば、実施形態におけるフィットネス情報管理システム１）におけるフィットネス情報管理装置であって、前記生体情報端末から送信される前記ユーザの体調に関する情報である生体情報（例えば、実施形態における脈拍、血圧、体温などの生体情報）を受信する受信手段（例えば、実施形態における受信部６１０）と、前記ユーザの運動時における体調に関する基準値となるワーニング基準値データ（例えば、実施形態におけるワーニング基準値データ）を記憶する個別ワーニングデータ記憶手段（例えば、実施形態における個別ワーニングデータ記憶部６３２）と、前記受信手段が受信した生体情報と前記個別ワーニングデータ記憶手段に記憶されたワーニング基準値データとを比較する比較手段（例えば、実施形態における比較部６４０）と、前記比較手段の比較結果に基づき、前記生体情報が前記ワーニング基準値データ以上である場合に、前記生体情報端末に警報させるための指示を送信する警報手段（例えば、実施形態における警報部６４１）と、を有すること特徴とする。
【００１２】
この発明によれば、生体情報を生体情報端末から受信した生体情報と個別ワーニングデータ記憶手段に記憶されたワーニング基準値データとを比較して、生体情報がワーニング基準値データ以上である場合に、生体情報端末から警報するようにしたので、生体情報端末を装着したユーザの体調に異常があるか否かを検出し、異常が発生している可能性がある場合に、警報を行う。これにより、ユーザに対し、運動を停止させるように促すことが可能となるとともに、トレーナなどがユーザのケアを行うことが可能となる。
【００１３】
また、本発明は、前記ユーザの身体に関する情報である身体情報（例えば、実施形態における性別、身長、体重などの身体情報）と前記ワーニング基準値データとを対応付けて記憶するワーニングテーブル記憶手段（例えば、実施形態におけるワーニングテーブル記憶部６３０）と、前記ユーザの身体情報を受信し、受信した身体情報に対応するワーニング基準値データを前記ワーニングテーブル記憶手段から読み出し、前記ユーザのワーニング基準値データとして前記個別ワーニングデータ記憶手段に設定するワーニングデータ設定手段（例えば、実施形態におけるワーニングデータ設定部６３１）と、を有することを特徴とする。
【００１４】
この発明によれば、ユーザの身体情報に応じたワーニング基準値データを設定することができるので、各ユーザの身体の状態に応じた体調管理を行うことができる。
【００１５】
また、本発明は、前記トレーニング装置の利用に関するトレーニングメニューを前記ユーザのユーザ識別情報に対応付けて記憶するトレーニングメニュー記憶手段（例えば、実施形態におけるトレーニングメニュー記憶部６５２）と、前記トレーニング装置からの要求に基づいて、前記要求に含まれるユーザ識別情報に対応するトレーニングメニューを前記トレーニングメニュー記憶手段から読み出して前記トレーニング装置に送信するトレーニングメニュー管理手段（例えば、トレーニングメニュー管理部６５３）と、を有することを特徴とする。
【００１６】
この発明によれば、トレーニングメニューをトレーニング装置に送信して設定させるようにしたので、ユーザに与えられたトレーニングメニューに応じた負荷に設定することができ、ユーザの身体に適した負荷でトレーニングさせることができる。
【００１７】
また、本発明は、前記トレーニング装置の利用に関するトレーニングメニューを前記ユーザのユーザ識別情報に対応付けて記憶するトレーニングメニュー記憶手段と、前記生体情報端末から送信されるユーザ識別情報を前記受信手段によって受信し、受信したユーザ識別情報に対応するトレーニングメニューを前記トレーニングメニュー記憶手段から読み出して前記生体情報端末に送信するトレーニングメニュー管理手段と、を有することを特徴とする。
【００１８】
この発明によれば、トレーニングメニューを生体情報端末に送信して表示させるようにしたので、ユーザが利用するトレーニング装置に設定すべき負荷について、簡単に把握することができ、これにより、ユーザの身体に適した負荷でトレーニングさせることが可能となる。
【００１９】
また、本発明は、生体情報端末とフィットネス情報管理装置とが接続され、前記生体情報端末のユーザの体調を管理するフィットネス情報管理システムにおける生体情報端末であって、前記ユーザの体調に関する情報を検出する検出手段（例えば、実施形態におけるセンサ装置２２）と、前記検出手段が検出した検出結果と前記ユーザを識別するためのユーザ識別情報とを前記フィットネス情報管理装置に送信する送信手段（例えば、実施形態における無線送受信回路２１）と、前記フィットネス情報管理装置からの指示に基づいて、警報を行う警報手段（例えば、実施形態における表示装置２５）と、を有することを特徴とする。
【００２０】
また、本発明は、トレーニング装置とフィットネス情報管理装置とが接続されたフィットネス情報管理システムにおけるトレーニング装置であって、ユーザを識別する情報であるユーザ識別情報とともにトレーニングメニューの送信要求を前記フィットネス情報管理装置に送信するトレーニングメニュー送信要求手段（例えば、実施形態におけるＣＰＵ１７）と、前記フィットネス情報管理装置から送信されるトレーニングメニューを受信する受信手段（例えば、実施形態における無線送受信回路１１）と、前記受信手段が受信したトレーニングメニューに含まれる負荷の設定値に基づいて、トレーニング装置の負荷を設定する設定手段（例えば、実施形態におけるＣＰＵ１７）と、を有することを特徴とする。
【００２１】
また、本発明は、生体情報端末とフィットネス情報管理装置とが接続され、前記生体情報端末のユーザの体調を管理するフィットネス情報管理システムにおけるフィットネス情報管理装置に用いられるフィットネス情報管理方法であって、前記生体情報端末から送信される前記ユーザの体調に関する情報である生体情報を受信し、受信した生体情報と前記ユーザの運動時における体調に関する基準値となるワーニング基準値データを記憶する個別ワーニングデータ記憶手段に記憶されたワーニング基準値データとを比較し、比較結果に基づき、前記生体情報が前記ワーニング基準値データ以上である場合に、前記生体情報端末に警報させるための指示を送信すること特徴とする。
【００２２】
また、本発明は、生体情報端末とフィットネス情報管理装置とが接続され、前記生体情報端末のユーザの体調を管理するフィットネス情報管理システムにおける生体情報端末に用いられる生体情報管理方法であって、前記ユーザの体調に関する情報を検出し、検出した検出結果と前記ユーザを識別するためのユーザ識別情報とを前記フィットネス情報管理装置に送信し、前記フィットネス情報管理装置からの指示に基づいて、警報を行うことを特徴とする。
【００２３】
また、本発明は、トレーニング装置とフィットネス情報管理装置とが接続されたフィットネス情報管理システムにおけるトレーニング装置に用いられるトレーニング装置情報負荷設定方法であって、ユーザを識別する情報であるユーザ識別情報とともにトレーニングメニューの送信要求を前記フィットネス情報管理装置に送信し、前記フィットネス情報管理装置から送信されるトレーニングメニューを受信し、受信したトレーニングメニューに含まれる負荷の設定値に基づいて、トレーニング装置の負荷を設定することを特徴とする。
【００２４】
また、本発明は、生体情報端末とフィットネス情報管理装置とが接続され、前記生体情報端末のユーザの体調を管理するフィットネス情報管理システムにおけるフィットネス情報管理装置に用いられるフィットネス情報管理プログラムであって、前記生体情報端末から送信される前記ユーザの体調に関する情報である生体情報を受信するステップと、受信した生体情報と前記ユーザの運動時における体調に関する基準値となるワーニング基準値データを記憶する個別ワーニングデータ記憶手段に記憶されたワーニング基準値データとを比較するステップと、比較結果に基づき、前記生体情報が前記ワーニング基準値データ以上である場合に、前記生体情報端末に警報させるための指示を送信するステップとをコンピュータに実行させることを特徴とする。
【００２５】
また、本発明は、生体情報端末とフィットネス情報管理装置とが接続され、前記生体情報端末のユーザの体調を管理するフィットネス情報管理システムにおける生体情報端末に用いられる生体情報管理プログラムであって、前記ユーザの体調に関する情報を検出するステップと、検出した検出結果と前記ユーザを識別するためのユーザ識別情報とを前記フィットネス情報管理装置に送信するステップと、前記フィットネス情報管理装置からの指示に基づいて、警報を行うステップと、をコンピュータに実行させることを特徴とする。
【００２６】
また、本発明は、トレーニング装置とフィットネス情報管理装置とが接続されたフィットネス情報管理システムにおけるトレーニング装置に用いられるトレーニング装置情報負荷設定プログラムであって、ユーザを識別する情報であるユーザ識別情報とともにトレーニングメニューの送信要求を前記フィットネス情報管理装置に送信するステップと、前記フィットネス情報管理装置から送信されるトレーニングメニューを受信するステップと、受信したトレーニングメニューに含まれる負荷の設定値に基づいて、トレーニング装置の負荷を設定するステップと、をコンピュータに実行させることを特徴とする。
【発明の効果】
【００２７】
以上説明したように、この発明によれば、生体情報を生体情報端末から受信し、受信した生体情報と個別ワーニングデータ記憶手段に記憶されたワーニング基準値データとを比較し、生体情報がワーニング基準値データ以上である場合に、生体情報端末から警報するようにした。これにより、生体情報端末を装着したユーザの生体情報の異常（不整脈、異常体温等）の有無を管理し、異常が発生している可能性がある場合に、警報を行うことによって、運動を停止させることが可能となるとともに、ユーザのケアを行うことができる。
【００２８】
また、本発明によれば、トレーニング情報管理装置からユーザに設定されたトレーニングメニューを送信するようにしたので、各ユーザのトレーニング目標に応じた運動を適正に行うことが可能となるとともに、トレーニング装置に対し、トレーニング目標に応じた負荷の設定を行うことが可能となる。
【発明を実施するための最良の形態】
【００２９】
以下、本発明の一実施形態によるフィットネス情報管理システムについて、図面を参照して説明する。
【００３０】
図１は、この発明の一実施形態によるフィットネス情報管理システムの構成を示す概略図である。この図において、フィットネス情報管理システムは、トレーニング装置１０と、生体情報端末２０と、トレーナ端末３０と、無線サーバ４０と、ネットワーク５０と、フィットネス情報管理装置の一例となるセンタサーバ６０とによって構成される。ネットワーク５０は、例えば、公衆回線網、専用線、ＬＡＮ（ローカルエリアネットワーク）、インターネットなどの回線が１つまたは複数組み合わされて適用され、有線または無線によって通信が行われる。
【００３１】
トレーニング装置１０は、トレーニング装置を識別するためのトレーニング装置ＩＤを記憶した記録媒体であるＲＦＩＤ（Radio Frequency IDentification）タグが取り付けられたトレーニング装置であり、例えば、エアロバイクや、ルームランナーなどである。以下、ＲＦＩＤタグは、ＩＣタグである場合について説明する。無線サーバ４０は、ネットワーク５０を介してセンタサーバ６０から送信される情報をトレーナ端末３０や生体情報端末２０に送信し、生体情報端末２０やトレーナ端末３０から送信される情報をネットワーク５０を介してセンタサーバ６０に送信する。
【００３２】
以下、生体情報端末２０、トレーナ端末３０、無線サーバ４０、センタサーバ６０について図面を用いてさらに説明する。
【００３３】
図２は、生体情報端末２０の構成を示す概略ブロック図である。この図において、無線送受信回路２１は、無線サーバ４０と無線によって接続され、ＣＰＵ（中央処理装置）２７からの指示に基づいて各種データの送受信を行う。この無線送受信回路２１には、アンテナ２１ａが設けられる。また、無線送受信回路２１は、センサ装置２２が検出した検出結果とユーザを識別するためのユーザ識別情報とをセンタサーバ６０に送信する。このユーザ識別情報は、入力装置２６を介して入力される、フィットネスクラブの入会の際に発行されるユーザ識別情報を生体情報端末２０の記憶装置２３内に保持しておき、読み出して利用するようにしてもよく、生体情報端末２０に設定された生体情報端末２０のＩＤを利用するようにしてもよい。
【００３４】
センサ装置２２は、ユーザの動きや体調に関する情報を検出する機能を有し、上述した検出手段に対応する。このセンサ装置２２において、脈拍センサ２２１は、生体情報端末２０を装着したユーザの脈拍を検出する。脈拍センサ処理回路２２２は、脈拍センサ２２１の検出結果をデジタルデータに変換してＣＰＵ２７に出力する。加速度センサ２２３は、生体情報端末２０の装着位置におけるユーザの動きに応じた加速度を検出する。例えば、腕の動きや足の動きを検出する。加速度センサ処理回路２２４は、加速度センサ２２３が検出した検出結果をデジタルデータに変換してＣＰＵ２７に出力する。温度センサ２２５は、生体情報端末２０を装着したユーザの体温を検出する。温度センサ処理回路２２６は、温度センサ２２５が検出した検出結果をデジタルデータに変換してＣＰＵ２７に出力する。
【００３５】
記憶装置２３は、各種情報を記憶するものであり、例えば、ＲＯＭ（read-only memory）とＲＡＭ（random-access memory）によって構成される。タイマ２４は、ＣＰＵ２４からの指示に基づいて、計時を行い、計時結果をＣＰＵ２７に出力する。表示装置２５は、ＣＰＵ２７からの指示に基づいて、各種データを表示するものであり、例えば、液晶表示装置によって構成される。また、表示装置２５は、無線送受信回路２１によってセンタサーバ６０から警報の指示を受信した場合に、警報の指示に含まれたメッセージなどを表示することによって警報を行う。なお、この表示装置１５の他に、スピーカを設け、警報の指示に含まれる警報音のデータに応じた警報音を出力するようにしてもよい。入力装置２６は、ユーザから入力される指示をＣＰＵ２７に出力する。この入力装置２６には、トレーニングメニューの送信要求を行うためのボタンや、トレーナを呼び出すトレーナコールをするボタンなどが設けられる。
【００３６】
ＣＰＵ２７は、装置各部を制御する（詳細は後述する）。
【００３７】
図３は、生体情報端末２０を実装した場合における概略図である。この図において、図２の各部に対応する部分に同一の符号を付し、その説明を省略する。この図において、生体情報端末２０は、基板２９の一方の面にＣＰＵ２７、アンテナ２１ａ、無線送受信回路２１、センサ２２７、センサ処理部２２８が搭載され、他方の面に各部を駆動させるための電源を供給するバッテリ２８が設けられる。センサ２２７は、例えば、図２における脈拍センサ２２１、加速度センサ２２３、温度センサ２２５が組み合わされて構成される。センサ処理部２２８は、例えば、図２における脈拍センサ処理回路２２２、加速度センサ処理回路２２４、温度センサ処理回路２２６の組み合わせによって構成される。
【００３８】
図４は、生体情報端末２０の一例を示す外観構成図である。この図に示すように、生体情報端末２０は、例えば腕時計のようにユーザの腕に装着可能な形状となっている。ここでは、表示装置２５と入力装置２６とが外面に設けられている。
【００３９】
図５は、トレーナ端末３０の構成を示す概略ブロック図である。この図において、無線送受信回路３１は、無線サーバ４０と無線によって接続され、ＣＰＵ（中央処理装置）３７からの指示に基づいて各種データの送受信を行う。この無線送受信回路３１には、アンテナ３１ａが設けられる。外部回線I／F（「I／F」は「インタフェース」）３２は、公衆回線網などを介して外部の通信網や通信機器などに通信可能に接続される。
【００４０】
記憶装置３３は、各種情報を記憶するものであり、例えば、ＲＯＭとＲＡＭによって構成される。タイマ３４は、ＣＰＵ３４からの指示に基づいて計時を行い、計時結果をＣＰＵ３４に出力する。表示装置３５は、ＣＰＵ３７からの指示に基づいて、各種データを表示するものであり、例えば、液晶表示装置によって構成される。また、表示装置３５は、トレーナコールを無線送受信回路３１によってセンタサーバ６０から受信した場合に、受信したトレーナコールの内容を表示する。入力装置３６は、ユーザから入力される指示をＣＰＵ３７に出力する。ＣＰＵ３７は、装置各部を制御する。識別信号送受信手段３８は、トレーナ端末３０を識別するためのトレーナ端末識別情報を無線によって送信する機能と外部から送信される情報を受信する機能を有し、アンテナ３８ａが設けられる。
【００４１】
図６は、無線サーバ４０の構成の一例を示す概略ブロック図である。この図において、無線送受信回路４１は、生体情報端末２０とトレーナ端末３０とに対し、無線によって接続され、ＣＰＵ（中央処理装置）４７からの指示に基づいて各種データの送受信を行う。この無線送受信回路４１には、アンテナ４１ａが設けられる。外部回線I／F４２は、公衆回線網などを介して外部の通信網や機器などに通信可能に接続される。
【００４２】
記憶装置４３は、各種情報を記憶するものであり、例えば、ＲＯＭとＲＡＭによって構成される。タイマ４４は、ＣＰＵ４７からの指示に基づいて、計時を行い、計時結果をＣＰＵ４７に出力する。表示装置４５は、ＣＰＵ４７からの指示に基づいて、各種データを表示するものであり、例えば、液晶表示装置によって構成される。入力装置４６は、外部から入力される指示をＣＰＵ４７に出力する。ＣＰＵ４７は、装置各部を制御する。識別信号送受信手段４８は、無線サーバ４０を識別するための識別情報を無線によって送信する機能および他の機器から送信される情報を受信する機能を有し、アンテナ３８ａが設けられる。
【００４３】
図７は、センタサーバ６０の構成の一例を示す概略ブロック図である。無線送受信回路６１は、インターネット５０を介して無線サーバ４０に接続され、ＣＰＵ６７からの指示に基づいて各種データの送受信を行う。この無線送受信回路６１には、アンテナ６１ａが設けられる。外部回線I／F６２は、公衆回線網などを介して外部の通信網や機器などに通信可能に接続される。
【００４４】
データ記憶手段６３は、各種情報を記憶する（詳細は後述する）。このデータ記憶手段６３は、例えば、ＲＯＭとＲＡＭ等によって構成される。データ解析手段６４は、生体情報端末２０から受信した生体情報に含まれるデータの解析を行う。生体判断手段６９は、生体情報端末２０から受信した生体情報に基づいて、ユーザの体調に異常が発生しているか否かの検出を行い、検出結果に基づいてユーザの体調の異常の有無を判断する。表示装置６５は、ＣＰＵ６７からの指示に基づいて、各種データを表示するものであり、例えば、液晶表示装置によって構成される。入力装置６６は、ユーザから入力される指示をＣＰＵ６７に出力する。この入力装置６６は、例えば、キーボードやマウスなどによって構成される。ＣＰＵ６７は、装置各部を制御する（詳細は後述する）。識別信号送受信手段６８は、センタサーバ６０に付与された識別情報を無線によって送信する機能および他の機器から送信される情報を受信する機能を有し、アンテナ６８ａが設けられる。
【００４５】
次に、図８を用いて図７におけるセンタサーバ６０についてさらに説明する。図８は、センタサーバ６０の機能について説明するための概略ブロック図である。この図において、受信部６１０は、生体情報端末２０から送信されるユーザの体調に関する情報である生体情報を受信する。この生体情報は、生体情報端末２０のセンサ装置２２において検出された脈拍、体温、血圧などの情報が含まれる。ユーザ情報記憶部６２０は、ユーザに関する情報を記憶するものであり、例えば、住所、氏名など、ユーザを特定する個人情報の他に、生体情報の履歴、ユーザの身体に関する情報である身体情報、トレーニングの履歴などを記憶する。ここで、身体情報は、年齢、性別、身長、体重などがある。
【００４６】
ワーニングテーブル記憶部６３０は、ユーザの身体情報とユーザの運動時における生体情報の基準値となる情報であるワーニング基準値データとが対応付けられたワーニングテーブルを記憶する。ここで、図９にワーニングテーブルの一例を示す。図９は、男性の脈拍についてのワーニングテーブルの一例を示している。この図に示すように、男性のユーザの年齢毎の脈拍の基準値がワーニング基準値データとして対応付けされている。ここでは、特に、同じ年齢であっても、平常時における脈拍の所定の範囲毎に異なるワーニング基準値データとなる脈拍の基準値が設定され記憶されている。なお、図９においては、ユーザが男性であって生体情報が脈拍である場合について例示したが、ワーニングテーブル記憶部６３０は、ユーザが女性である場合や、生体情報が体温、血圧の場合についても、それぞれワーニングテーブルとして記憶している。また、ここでは、身体情報が性別のみ利用された場合について例示されているが、身長、体重の身体情報も利用して分類するようにしてもよい。
【００４７】
ワーニングデータ設定部６３１は、ユーザの身体情報を生体情報端末２０から受信部６１０によって受信した身体情報に対応するワーニング基準値データをワーニングテーブル記憶手段から読み出し、ユーザのワーニング基準値データとして個別ワーニングデータ記憶部６３２に設定する。個別ワーニングデータ記憶部６３２は、ユーザの運動時における体調に関するワーニング基準値データをユーザ識別情報に対応付けしてユーザ毎に記憶する。
【００４８】
比較部６４０は、受信部６１０が生体情報端末２０から受信した生体情報と個別ワーニングデータ記憶部６３２に記憶されたワーニング基準値データとを比較する。警報部６４１は、比較部６４０の比較結果に基づき、生体情報がワーニング基準値データ以上である場合に、生体情報端末２０に警報させるための指示を送信する。
【００４９】
トレーニング装置負荷テーブル記憶部６５０は、トレーニング装置に設定するユーザをランク毎に分類した場合における各ランク毎の負荷についてのテーブルを記憶している。ここで、図１０は、トレーニング装置負荷テーブルの一例を示す図面である。この図１０（ａ）は、エアロバイク（登録商標）など、時刻に応じて負荷が変化する場合におけるトレーニング装置に用いられるトレーニング装置負荷テーブルの例、図１０（ｂ）は、ダンベル装置など、ある負荷において繰り返してトレーニングする回数について示すトレーニング装置負荷テーブルの一例を示す図面である。
【００５０】
トレーニングメニュー作成部６５１は、ユーザ情報記憶部６２０に記憶されたユーザの生体情報と身体情報との少なくともいずれか一方もしくは両方に基づいて、利用するトレーニング装置の種類とその順序について決定し、決定内容をトレーニングメニューとして生成する機能を有する。ここで、トレーニング装置に設定する負荷は、トレーニング装置負荷テーブル記憶部６５０を参照し、ユーザの生体情報や身体情報によって決まるランクに応じて決定される。このトレーニングメニュー作成部６５１は、ユーザと医師又はトレーナとの相談によって、ユーザが持っているトレーニングする目標に応じて決定され、決定内容をキーボードなどの入力装置から入力される指示に基づいて作成するようにしてもよい。トレーニングメニュー記憶部６５２は、トレーニング装置の利用に関するトレーニングメニューをユーザ識別情報に対応付けてユーザ毎に記憶する。このトレーニングメニューは、トレーニングメニュー作成部６５１によって作成される情報である。
【００５１】
トレーニングメニュー管理部６５３は、トレーニング装置からの要求に基づいて、当該要求に含まれるユーザ識別情報に対応するユーザのトレーニングメニューをトレーニングメニュー記憶部６５２から読み出して、トレーニング装置に送信する。また、トレーニングメニュー管理部６５３は、生体情報端末２０から送信されるユーザ識別情報とトレーニングメニューの送信要求とを受信部６１０によって受信し、受信したユーザ識別情報に対応するユーザのトレーニングメニューをトレーニングメニュー記憶部６５２から読み出して生体情報端末２０に送信する。
【００５２】
なお、この図８における受信部６１０、警報部６４１、トレーニングメニュー管理部６５３、トレーナコール管理部６６０の機能が、図７におけるＣＰＵ６７と無線送受信手段６１との組み合わせに対応する。また、図８における、ユーザ情報記憶部６２０、ワーニングテーブル記憶部６３０、個別ワーニングデータ記憶部６３２、トレーニング装置負荷テーブル記憶部６５０、トレーニングメニュー記憶部６５２が図７におけるデータ記憶手段６３に対応し、図８のワーニングデータ設定部６３１、トレーニングメニュー作成部６５１が図７におけるＣＰＵ６７に対応し、図８の比較部６４０が図７におけるデータ解析手段６４、声帯異常判断手段６９に対応する。
【００５３】
次に、上述した構成におけるフィットネス情報管理システムの動作についてフローチャートを用いて説明する。図１１は、フィットネス情報管理システムにおけるセンタサーバ６０の動作を説明するためのフローチャートである。まず、ここでは、初期データとして、ユーザの住所、氏名の他に、身長、体重、性別の身体情報と、血圧、脈拍を測定したデータ、ユーザ識別情報をキーボードなどの入力装置を利用して入力し、ユーザ情報記憶部６２０に記憶しておく。ここで、身長、体重、血圧、脈拍についは、トレーニング開始時に測定したデータを入力するようにしてもよい。また、この個人情報を登録する際、ユーザ情報記憶部６２０において、ユーザ識別情報に各種情報が対応付けて記憶される。
【００５４】
次に、ユーザと医師もしくはトレーナとが相談し、トレーニング装置負荷テーブル記憶部６５０に記憶されたトレーニング装置負荷テーブルのなかからランクを選択して、負荷を決定し、トレーニングメニューを作成して入力装置を介して入力する。これにより、トレーニングメニュー作成部６５１からトレーニング記憶部６５２にトレーニングメニューが記憶される。
【００５５】
また、トレーニング開始前において入力された血圧、脈拍の生体情報に基づいて、ワーニングデータ設定部６３１は、この生体情報に対応するワーニング基準値データをワーニングテーブル記憶部６３０から読み出して個別ワーニングデータ記憶部６３２にユーザ識別情報に対応付けして記憶する。
【００５６】
上述の処理が行われた後、生体情報端末２０のＣＰＵ２７は、ユーザによって入力装置２６によってトレーニングメニュー送信要求ボタンが押されると、無線送受信回路２１によって、センタサーバ６０にユーザ識別情報を送信するとともに、トレーニングメニューの送信要求を送信する。センタサーバ６０のトレーニングメニュー管理部６５３は、ユーザ識別情報に対応するトレーニングメニューをトレーニングメニュー記憶部６５２から読み出して、生体情報端末２０に送信する。生体情報端末２０のＣＰＵ２７は、受信したトレーニングメニューを表示装置３５に表示する。これにより、ユーザは、生体情報端末２０の表示画面において、トレーニングメニューを確認して、最初のトレーニング装置を選択して利用することができる。
【００５７】
次に、ユーザが選択したトレーニング装置１０に近づくと、生体情報端末２０の無線送受信回路２１は、トレーニング装置１０に取り付けられたＩＣタグに記憶されたトレーニング装置ＩＤを読み出し、読み出したトレーニング装置ＩＤとセンサ装置２２によって検出した脈拍、体温、血圧の検出結果とユーザ識別情報とともに、センタサーバ６０に送信する。
【００５８】
センタサーバ６０の受信部６１０は、生体情報端末２０から送信されるトレーニング装置ＩＤ、ユーザ識別情報、生体情報、生体情報端末２０において（ステップＳ１０）。そして、受信部６１０によって受信した各情報をユーザ情報記憶部６２０に記憶されると、比較部６４０は、ユーザ情報記憶部６２０に記憶された生体情報の解析を行い（ステップＳ１１）、ワーニング対応の必要があるか否かを検出する（ステップＳ１２）。ここでは、比較部６４０が、ユーザ識別情報に対応するワーニング基準値データを個別ワーニングデータ記憶部６３２から読み出して生体情報と比較することによって、ワーニング対応の必要があるか否かを検出する。
【００５９】
検出結果において、生体情報がワーニング基準値データ以上であり、ワーニングの必要がある場合、比較部６４０は、警報部６４１によって警報する指示をワーニングとして生体情報端末２０に送信する（ステップＳ１３）。
【００６０】
一方、生体情報がワーニング基準値データ未満であり、ワーニングの必要がない場合、ステップＳ１０に移行する。
【００６１】
上述した実施形態において、トレーニングメニューの１つのメニューが終わった後、再度生体情報端末２０からトレーニングメニューの問い合わせに応じて、次にトレーニングすべきトレーニングメニューについて通知するようにしてもよい。ここでは、生体情報端末２０からユーザ識別情報とメニュー送信要求とを受信すると、センタサーバ６０のトレーニングメニュー管理部６５３は、ユーザ識別情報に対応するトレーニングメニューであって、トレーニングメニュー記憶部６５２に記憶された当日の未完了のトレーニングメニューの項目に該当する、現在空き状態になっているトレーニング装置１０を検索し、検索されたトレーニングメニューを生体情報端末２０に送信する。これにより、生体情報端末２０の表示装置３５には、次に行うトレーニングメニューについて表示されるので、ユーザは、次にどのトレーニングを行えばよいか簡単に把握することができる。
【００６２】
また、上述した実施形態において、センタサーバ６０は、生体情報端末２０からトレーナスイッチが押下され、トレーナコールの指示が送信された場合、センタサーバ６０は、生体情報端末２０から送信されたユーザ識別情報とトレーニング装置ＩＤとをトレーナ端末３０に送信するようにしてもよい。ここで、生体情報端末２０がトレーニング装置１０のＩＣタグを検出していない、すなわち、例えば、ユーザがトレーニング装置１０を離れて休憩中である場合には、トレーニング装置ＩＤを送信せず、休憩中であることを通知する。これにより、ユーザがトレーニング中に、万が一、体調が悪くなった場合に、自主的にトレーナを呼んで処置を受けることができる。
【００６３】
また、上述した実施形態において、比較部６４０が生体情報とワーニング基準値データとを比較し警報部６４１によって警報を行う場合について説明したが、個別ワーニングデータ記憶部６３２にトレーニングメニューを記憶しておき、比較部６４０が生体情報端末２０から送信されるトレーニング結果の情報と個別ワーニングデータ記憶部６３２記憶されたトレーニングメニューのトレーニング設定値とを比較して、トレーニング設定値をトレーニング量が越えた場合に、警報を行うようにしてもよい。これにより、体調がよくても、過度なトレーニングによって体調を崩したり、怪我をすることを防止することができる。
【００６４】
次に、図１２のフローチャートを用いて、生体情報端末２０がセンタサーバ６０からデータを受信する処理について説明する。
【００６５】
入力装置２６を介して起動の指示が入力されると、生体情報端末２０のＣＰＵ２７は、プロセスを起動し（ステップＳ２０）、イニシャライズを行う（ステップＳ２１）。このイニシャライズでは、例えば、一次保存領域内のメモリをクリアしたり、センサ装置２２における各センサの検出サイクルなどの設定を行う。そして、センタサーバ６０から送信される無線データの受信待ちをする（ステップＳ２２）。ここで受信する無線データとしては、例えば、トレーニング開始時においては、トレーニングメニューであり、トレーニング開始後においては、センタサーバ６０において検出され送信されるワーニング情報である。このワーニング情報には、ワーニングコードなどワーニングの内容を示す情報、スピーカから放音する音量や音色など、どのように警報するかの情報が含まれる。
【００６６】
次に、生体情報端末２０のＣＰＵ２７は、無線データを受信すると、受信した無線データを解析して対応処置を行う（ステップＳ２３）。ここでは、トレーニング開始時においては、受信したトレーニングメニューの表示を行う。また、トレーニング開始後である場合には、センタサーバ６０から受信したワーニングの指示に従った警報などを行う。すなわち、ワーニングの内容を示す情報に応じて、「少し休憩しましょう」などのメッセージを表示したり、スピーカから警報音を放音したり、振動装置によって振動させて警報を行う。これら対応処置後は、ステップＳ２２に移行する。
【００６７】
次に、図１３のフローチャートを用いて、生体情報端末２０の動作について説明する。まず、生体情報端末２０は、無線送受信回路２１によってトレーニング装置ＩＤを取得する（ステップＳ３０）。次に、ＣＰＵ２７は、ユーザ識別情報とともにトレーニングメニューの送信要求をセンタサーバ６０に送信し、センタサーバ６０から送信されるトレーニングメニューを無線送受信回路２１によって受信する（ステップＳ３１）。
【００６８】
そして、トレーニングメニューに従い、ユーザによってトレーニング装置１０が利用されトレーニングが開始されると（ステップＳ３２）、ＣＰＵ２７は、センサ装置２２によって生体情報の測定を行って検出し、検出結果に基づいてデータ処理を行い（ステップＳ３３）、データ処理の結果に基づいて、センタサーバ６０への送信が必要であるか否かを検出する（ステップＳ３４）。ここでは、データ処理として、予め決められた一定時間が経過したか否かを検出し、一定時間が経過していない場合には、ステップＳ３３における生体情報の検出を行い、検出した生体情報を一時記憶する。
【００６９】
一方、予め決められた時間が経過した場合には、生体情報をセンタサーバ６０に送信する（ステップＳ３５）。
【００７０】
そして、ＣＰＵ２７は、トレーニングが終了したか否かを検出し、トレーニングが終了していない場合、ステップＳ３３に移行する。このトレーニングの終了は、生体情報端末２０の終了ボタンが押下されたか、あるいは、ユーザがトレーニング装置１０から離れたことがトレーニング装置１０のトレーニング装置ＩＤが取得されなくなったことによって検出された場合である。
【００７１】
一方、トレーニングが終了した場合には、次のトレーニングまでの行動指示をする（ステップＳ３７）。この行動指示には、「もう少し休んでから次に進みましょう」、「１５分間休憩した後、○○トレーニングをしましょう」、「水分を摂ってください。」、「今日は、トレーニングを終了しましょう」などのメッセージが表示される。
【００７２】
上述した実施形態において、生体情報端末２０は、センタサーバ６０に生体情報を送信し、センタサーバ６０において警報が必要であるか否かを検出するようにしたが、生体情報端末２０自身が警報が必要であるか否かを検出するようにしてもよい。この場合、生体情報端末２０のユーザについてのワーニング基準値データを記録した個別ワーニングデータ記憶部６３２の情報を記憶装置２３に記憶し、比較部６４０の機能をＣＰＵ２７に設ける。そして、ステップＳ３３におけるデータ処理として、生体情報として検出した検出結果と記憶装置２３に記憶されたワーニング基準値データとをＣＰＵ２７によって比較し、センサ装置２２の生体情報の検出結果がワーニング基準値データ以上であり、異常が検出された場合には、警報を行うようにするようにしてもよい。この警報が行われた場合、ステップＳ３４において、その際のセンサ装置２２の検出結果をセンタサーバ６０に送信するようにしてもよい。
【００７３】
なお、加速度センサ２２３に対する基準値となるワーニング基準値データを記憶させておき、加速度センサ２２３の検出結果とワーニング基準値データとを比較し、加速度センサ２２３の検出結果がワーニング基準値データ以上である場合には、ユーザが倒れた可能性があるものとして異常を検出し、警報するようにしてもよい。これにより、ユーザの体調の異変を早期に発見し、処置を行うまでの時間を短縮することが可能である。
【００７４】
また、この場合、生体情報端末２０において警報をするか否かを検出し、その検出結果とともに生体情報をセンタサーバ６０に送信し、センタサーバ６０が、生体情報端末２０において判断された異常の有無と生体情報とに基づいて、さらに詳細な解析を行い、警報を行うようにしてもよい。これにより、ユーザの体調をきめ細かく管理することが可能となる。
【００７５】
上述した実施形態においては、トレーニング装置１０に取り付けられたＩＣタグに記憶されたトレーニング装置ＩＤを、生体情報端末２０によって読み取る構成について説明したが、以下、他の実施形態として、生体情報端末２０にユーザ識別情報となるＩＤが記憶されたＩＣタグを設け、トレーニング装置１０にタグリーダを設けるようにし、このＩＣタグに記憶されたユーザ識別情報をトレーニング装置１０が読み出す場合について説明する。
【００７６】
この実施形態において、トレーニング装置１０は、無線によって無線サーバ４０と接続される。この実施形態において、生体情報端末２０における図２の識別信号送信手段２８は、ＩＣタグで構成されるが、ユーザ識別情報を無線によって発信するようにしてもよい。
【００７７】
図１４は、この実施形態におけるトレーニング装置１０の構成を示す概略ブロック図である。この図において、無線送受信回路１１は、無線サーバ４０と無線によって接続され、ＣＰＵ（中央処理装置）１７からの指示に基づいて各種データの送受信を行う。この無線送受信回路１１には、アンテナ１１ａが設けられる。また、無線送受信回路１１は、自身のトレーニング装置１０を利用するユーザを識別するユーザ識別情報とともにトレーニングメニューの送信の送信要求をセンタサーバ６０に送信するトレーニングメニュー送信要求手段と、センタサーバ６０から送信されるトレーニングメニューを受信する受信手段とを有する。また、無線送受信回路１１は、センタサーバ６０から送信されるトレーニングメニューを受信する。外部回線I／F１２は、公衆回線網などを介して外部の通信網や機器などに通信可能に接続される。
【００７８】
記憶装置１３は、各種情報を記憶するものであり、例えば、ＲＯＭとＲＡＭによって構成される。タイマ１４は、ＣＰＵ１４からの指示に基づいて、計時を行い、計時結果をＣＰＵ１４に出力する。表示装置１５は、ＣＰＵ１７からの指示に基づいて、各種データを表示するものであり、例えば、液晶表示装置によって構成される。入力装置１６は、ユーザから入力される指示をＣＰＵ１７に出力する。
【００７９】
ＣＰＵ１７は、装置各部を制御する（詳細は後述する）。また、ＣＰＵ１７は、無線送受信回路１１が受信したトレーニングメニューに含まれる負荷の設定値に基づいて、トレーニング装置１０の負荷を制御回路１９によって設定する設定手段を有する。
【００８０】
識別信号送受信手段１８は、トレーニング装置１０を識別するための識別番号を無線によって送信する機能および生体情報端末２０に取り付けられたＩＣタグに記憶されたユーザ識別情報を読み出す機能を有し、アンテナ１８ａが設けられる。制御回路１９は、マシン１９ａに接続され、ＣＰＵ１７の設定手段によって設定される負荷の設定値に応じた負荷になるように、マシン１９ａに設定される負荷や、運動時間を制御する。
【００８１】
次に、上述したトレーニング装置１０の動作について、図１５のフローチャートを用いて説明する。まず、トレーニング装置１０の電源が投入された後（ステップＳ４０）、記憶装置１３の一次記憶領域内のデータをクリアするイニシャライズがなされる（ステップＳ４１）。そして、識別信号送受信手段１８によって生体情報端末２０に取り付けられたＩＣタグの情報が読み取り可能な通信領域内にユーザが来るまで待機する（ステップＳ４２）。
【００８２】
そして、ユーザがトレーニング装置１０を利用しようとすると、識別信号送受信手段１８は、ユーザが装着している生体情報端末２０に取り付けられたＩＣタグに記憶されたユーザ識別情報を読み出し（ステップＳ４３）、センタサーバ６０に送信する（ステップＳ４４）。次に、ＣＰＵ１４は、センタサーバ６０にトレーニングメニューの要求を無線送受信回路４１によって送信し、センタサーバ６０のトレーニングメニュー管理部６５３から送信される、生体情報端末２０のＩＣタグのユーザ識別情報に対応するトレーニングメニューを受信する（ステップＳ４５）。次に、ＣＰＵ１４は、受信したトレーニングメニューに含まれる負荷に関する設定値のデータのうち、自身に設定すべき負荷の設定値をトレーニング装置１０の識別情報に基づいて抽出し、抽出した負荷の設定値に応じた負荷を制御回路１９によって設定する（ステップＳ４６）。
【００８３】
そして、トレーニングが開始されると（ステップＳ４７）、再度生体情報端末２０に取り付けられたＩＣタグからユーザ識別情報を読み取って（ステップＳ４８）、トレーニング装置１０を本人が継続して使用しているか否かを検出する（ステップＳ４９）。
【００８４】
そして、識別情報が一致している場合、継続して使用しているものとして検出し、所定のウエイト時間を経過した後（ステップＳ５０）、ステップＳ４８に移行する。
【００８５】
一方、生体情報端末２０においてトレーニング終了のボタンが押された場合や、トレーニング装置１０におけるメニューが終了した場合、終了処理を行う（ステップＳ５１）。ここでは、例えば、トレーニング履歴をセンタサーバ６０に送信して記録しておく。
【００８６】
以上説明した実施形態によれば、トレーニング装置１０の負荷の設定値をセンタサーバ６０から受信して自身のトレーニング装置１０に設定することができるので、ユーザは、自分自身がどのような設定値をトレーニング装置１０に設定すればよいか確認しなくても、自身が行うべきトレーニング量に応じた負荷が自動的に設定される。
【００８７】
なお、以上説明した実施形態において、センターサーバ６０は、ネットワーク５０を介して無線サーバ４０に接続される場合について説明したが、ネットワーク５０として公衆ネットワークを適用するのではなく、ＬＡＮ（ローカルエリアネットワーク）等のローカルなネットワークを適用して接続するようにしてもよい。これにより、トレーニング装置１０、生体情報端末２０、トレーナ端末３０、無線サーバ４０等の装置と同じ建物内に設けることも可能となる。
【００８８】
また、以上説明した実施形態において、図２における無線送受信回路２１、センサ装置２２、表示装置２５、入力装置２６、ＣＰＵ２７の機能、図５における無線送受信回路３１、表示装置３５、入力装置３６、ＣＰＵ３７、識別信号送信手段３８の機能、図６における無線送受信回路４１、表意装置４５、入力装置４６、ＣＰＵ４７、識別信号送信手段４８の機能、図８における受信部６１０、ワーニングデータ設定部６３１、比較部６４０、警報部６４１、トレーニングメニュー作成部６５１、トレーニングメニュー管理部６５３、トレーナコール管理部６６０の機能、図１４における無線送受信回路１１、表示装置１５、入力装置１６、ＣＰＵ１７、識別信号送受信手段１８の機能を実現するためのプログラムをコンピュータ読み取り可能な記録媒体に記録して、この記録媒体に記録されたプログラムをコンピュータシステムに読み込ませ、実行することによりユーザの体調管理、トレーニングメニューの管理を行ってもよい。なお、ここでいう「コンピュータシステム」とは、ＯＳや周辺機器等のハードウェアを含むものとする。
【００８９】
また、「コンピュータシステム」は、ＷＷＷシステムを利用している場合であれば、ホームページ提供環境（あるいは表示環境）も含むものとする。
【００９０】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００９１】
以上、この発明の実施形態を図面を参照して詳述してきたが、具体的な構成はこの実施形態に限られるものではなく、この発明の要旨を逸脱しない範囲の設計等も含まれる。
【図面の簡単な説明】
【００９２】
【図１】この発明の一実施形態によるフィットネス情報管理システムの構成を示す概略図である。
【図２】生体情報端末２０の構成の一例を示す概略ブロック図である。
【図３】生体情報端末２０を実装した場合における概略図である。
【図４】生体情報端末２０の一例を示す外観構成図である。
【図５】トレーナ端末３０の構成の一例を示す概略ブロック図である。
【図６】無線サーバ４０の構成の一例を示す概略ブロック図である。
【図７】センタサーバ６０の構成の一例を示す概略ブロック図である。
【図８】センタサーバ６０の機能について説明するための概略ブロック図である。
【図９】ワーニングテーブルの一例を示す図面である。
【図１０】トレーニング装置負荷テーブルの一例を示す図面である。
【図１１】フィットネス情報管理システムにおけるセンタサーバ６０の動作を説明するためのフローチャートである。
【図１２】生体情報端末２０がセンタサーバ６０からデータを受信する処理について説明するためのフローチャートである。
【図１３】生体情報端末２０の動作について説明するためのフローチャートである。
【図１４】この実施形態におけるトレーニング装置１０の構成を示す概略ブロック図である。
【図１５】トレーニング装置１０の動作について説明するためのフローチャートである。
【符号の説明】
【００９３】
１  フィットネス情報管理システム
１０  トレーニング装置
２０  生体情報端末
３０  トレーナ端末
４０  無線サーバ
６０  センタサーバ
【図１】
2006053722.tif 000003
【図２】
2006053722.tif 000004
【図３】
2006053722.tif 000005
【図４】
2006053722.tif 000006
【図５】
2006053722.tif 000007
【図６】
2006053722.tif 000008
【図７】
2006053722.tif 000009
【図８】
2006053722.tif 000010
【図９】
2006053722.tif 000011
【図１０】
2006053722.tif 000012
【図１１】
2006053722.tif 000013
【図１２】
2006053722.tif 000014
【図１３】
2006053722.tif 000015
【図１４】
2006053722.tif 000016
【図１５】
2006053722.tif 000017